(57)【特許請求の範囲】
【請求項１】
軸線（Ｐ）に関して回転可能な構成部材（１０）に固締するための装置（１２）であって、
この装置が、
回転可能な構成部材（１０）の外側表面に対向する開口表面（２２）を有する端部壁（２５）、及びこの端部壁（２５）から軸線方向に延在する部分（１８）を有するカラー手段（１９）と、
このカラー手段の軸線方向部分（１８）と構成部材（１０）との間に配置するリング（１３）であって、構成部材（１０）の外側表面と対向する第１の内側表面（９）、及び端部壁（２５）から離れる方向に回転軸線に対して収束するように回転軸線（Ｐ）に対して傾斜している第２の外側表面（２０）を有する当該リング（１３）と、
カラー手段（１９）の軸線方向部分（１８）に貫通するスクリューネジ溝付きの開口（６）に収容し且つ回転軸線（Ｐ）に対して１８０°以外の角度だけ離間した数個のスクリューネジ溝付きの構成部材（２１）と
を備え、これらスクリューネジ溝付きの構成部材（２１）を固締してリング（１３）の第２外側表面（２０）に圧着させ、カラー手段（１９）の開口表面（２２）及びリング（１３）の第１内側表面（９）を前記構成部材（１０）の外側表面に対する接触表面として動作させ、これら接触表面は、直径方向に互いに対向する領域（２４、２６）で構成部材にクランピング力を作用する構成とした
当該装置において、
このネジ溝付きの開口（６）が回転軸線に対して非放射状に適所に配置されることを特徴とする当該装置。
【請求項２】
軸線（Ｐ）に関して回転可能な中空の構成部材（１２０）に固締するための装置（１２）であって、
この装置が、
構成部材（１２０）の内側表面（３００）に対向する外側表面（２８）を有する端部壁（２５０）、及びこの端部壁（２５０）から軸線方向に延在する部分（１８０）を有するカラー手段（１９０）と、
このカラー手段（１９０）の軸線方向部分（１８０）と構成部材（１２０）との間に配置するリング（１７０）であって、構成部材の内側表面と対向する第１の外側表面（２４０）、及び端部壁（２５０）から離れる方向に回転軸線に対して収束するように回転軸線（Ｐ）に対して傾斜している第２の内側表面（２００）を有する当該リング（１７０）と、
カラー手段（１９０）の軸線方向部分（１８０）に貫通するスクリューネジ溝付きの開口（２２０）に収容し且つ回転軸線に対して１８０°以外の角度だけ離間した数個のスクリューネジ溝付きの構成部材（２１０）と、
を備え、これらスクリューネジ溝付きの構成部材（２１０）を固締してリング（１７０）の第２内側表面（２００）に圧着させ、リングの外側表面（２４０）及びカラー手段（１９０）の端壁（２５０）の外側表面（２８０）を前記構成部材（１２０）の内側表面（３００）に対する接触表面として動作させ、これら接触表面は、直径方向に互いに対向する領域で構成部材にクランピング力を作用する構成とした
当該装置において、
このネジ溝付きの開口（２２０）が回転軸線（Ｐ）に対して非放射状に配置されることを特徴とする当該装置。
【請求項３】
前記ネジ溝付きの開口（６、２２０）が、カラー手段（１９、１９０）の端壁（２５、２５０）から回転軸線の方向に見て反時計回りに回転軸線（Ｐ）からオフセットされる位置（Ｌ）で交差する軸線を有することを特徴とする請求項１或いは２に記載の装置。
【請求項４】
前記対向する表面（２２、２８０）と、リング（１３、１７０）の第１表面（９、２４０）とが、互いに連続体を形成するように密接に隣接することを特徴とする請求項１、２或いは３に記載の装置。
【請求項５】
前記カラー手段の対向表面（２２、２８０）と前記リング（１３、１７０）の第１表面（９、２４０）との間には、カラー手段とリングとの放射状境界ガイド表面（５０、３５０）が存在し、スクリューネジ溝付きの構成部材（２１、２１０）が固締或いは開放された場合には、これら表面が互いに抗してスライドすることを特徴とする請求項４に記載の装置。
【請求項６】
前記スクリューネジ溝付きの構成部材（２１、２１０）が、回転軸線に対して傾斜しているリング（１３、１７０）の第２表面（２０、２００）と接触する端部表面を有することを特徴とする請求項１乃至５のいずれか１項に記載の装置。
【請求項７】
２個のスクリューネジ溝付きの構成部材（２１、２１０）が存在することを特徴とする請求項１乃至６のいずれか１項に記載の装置。
【請求項８】
前記スクリューネジ溝付きの構成部材（２１、２１０）を支持するネジ溝付きの開口（６、２２０）が位置（Ｌ）に対して１２０°だけ離間し、この位置において連帯する開口（６、２２０）の軸線が交差することを特徴とする請求項７に記載の装置。
【請求項９】
前記リング（１３、１７０）の第２表面（２０、２００）が、スクリューネジ溝付きの構成部材（２１、２１０）の端部を支持する窪み、凹所或いはブラインド穴を有することを特徴とする請求項１乃至８のいずれか１項に記載の装置。
【請求項１０】
前記回転可能な構成部材が忠実な棒軸或いはスピンドル（１０）であることを特徴とする請求項１に従属する請求項３乃至９のいずれか１項に記載の装置。
【請求項１１】
前記リング（１３）が本装置により固締されるべき数個の他の構造体（１１）の他の構成部材か或いは構造体（１１）の部分であることを特徴とする請求項１０に記載の装置。
【請求項１２】
前記リングがローリング構成部材である軸受け（１１）の内側リングの延在部分により形成されたことを特徴とする請求項１１に記載の装置。
【請求項１３】
前記構成部材が浅い棒軸か或いは管（１２０）であることを特徴とする請求項２に記載の装置。
【請求項１４】
前記リングの第２の表面（２０、２００）が、回転軸線（Ｐ）に対して１°乃至５°の角度で傾斜することを特徴とする請求項１乃至１３のいずれか１項に記載の装置。
【請求項１５】
回転可能な構成部材（１０、１２０）を組み合わせた請求項１乃至１４のいずれか１項に記載の装置から成る組立体。
【発明の詳細な説明】
技術分野
本発明は、棒軸或いは管のような回転可能な構成部材に選択的に固締或いはクランプすることができる装置に関するものである。
本発明の背景
先行技術Ｕ．Ｋ．特許出願明細書第９４１９３７２．９（２２８２２０９Ａ）には、棒軸或いは管のような回転可能な構成部材に使用することができる固締装置が記載されている。このような装置は、信頼性の高い固締機能を達成するが、この装置のカラー手段は、定位置に固締されている場合には傾斜する傾向にあり、従って棒軸或いは管が回転する場合にはこのカラー手段はぐらつく。本発明の総括的な目的は、この欠点を克服した改良した形態の固締装置を提供することにある。
本発明の開示
本発明の１つの態様によれば、軸線に関して回転可能な構成部材に固締する装置を提供し、この装置は、回転可能な構成部材の外方表面及び端部壁から軸線状に延在する部分と対向する表面を規定する開口を具える端部壁を有するカラー手段と、このカラー手段の軸線状部分と構成部材との間に配置するリングであって、構成部材の外側表面と対向する第１の内側表面及び端部壁から離間した方向で回転軸線に対して収束するように回転軸線に対して傾斜している第２の外側表面を有する当該リングと、カラー手段の軸線状部分を介して延在するスクリューネジ溝付きの開口に支持され且つ回転軸線に対して１８０°以外の角度だけ離間した数個のスクリューネジ溝付きの構成部材であって、このネジ溝付きの開口が回転軸線に対して非放射状に適所に配置されるような構成部材とを含む。この配置は、スクリューネジ溝付きの構成部材を固締してリングの第２外側表面へ或いは第２外側表面に抗して位置させ、カラー手段の開口表面及びリングの第１表面が正に対向する領域で構成部材にクランピング力を作用する構成部材の外側表面に関して接触表面として動作することができるものである。
本発明の他の態様によれば、軸線に関して回転可能な中空の構成部材に固締する装置を提供し、この装置は、構成部材の内側表面及び端壁から軸線状に延在する部分と対向する外側表面を具える端部壁を有するカラー手段と、このカラー手段の軸線状部分と構成部材との間に配置するリングであって、構成部材の内側表面と対向する第１の外側表面及び端部壁から離間した方向で回転軸線に対して収束するように回転軸線に対して傾斜している第２の内側表面を有する当該リングと、カラー手段の軸線状部分を介して延在するスクリューネジ溝付きの開口に支持され且つ回転軸線に対して１８０°以外の角度だけ離間した数個のスクリューネジ溝付きの構成部材であって、ネジ溝付きの開口が回転軸線に対して非放射状の位置に配置される当該構成部材とを含む。この配置は、このスクリューネジ溝付きの構成部材を固締してリングの第２内側表面へ或いは第２内側表面に抗して位置させ、リングの外側表面とカラー手段の端壁の外側表面が正に対向する領域で構成部材にクランピング力を作用する構成部材の内側表面に関して接触表面として動作することができるものである。
カラー手段の非放射状位置の開口にスクリューネジ溝付きの構成部材を配置することにより、回転可能な構成部材が回転する場合にカラー手段がぐらつく傾向が回避できる。
ネジ溝付きの開口が、回転軸線の方向に見て反時計回りに回転軸線からオフセットし、及びカラー手段の端壁からオフセットする位置で交差する軸線を有することが好適である。
連携するネジ溝付きの開口の軸線が約１２０°の角を成して交差する位置の回りで離間した軸線を有する２つのスクリューネジ溝付きの構成部材が存在することが好適である。従って、各スクリューネジ溝付きの構成部材は、回転軸線に対して正確に放射状の方向にからオフセットした軸線を有する。
スクリューネジ溝付きの構成部材の端部は、長手方向軸線或いはリングの第２の傾斜表面の角度に通常は適合する角度にセットされた表面に対して典型的な平表面を有することができる。スクリューネジ溝付きの構成部材の端部を支持する第２表面に、浅い窪み、凹所、或いはブラインド穴を形成することは可能である。
カラー手段及びこの構成部材に面するリングの表面は、通常は回転軸線に対して平行で、直接隣接しており、スクリューネジ溝付きの構成部材を固締する前に互いに連続体を形成するように互いに並んで存在する。これら接点表面の間には、リング及びカラー手段の放射状表面を存在させることができ、このカラー手段は、互いに掛合し且つスクリュー構成部材が固締される或いは開放される場合に互いに抗してスライドする。
回転可能な構成部材は、外表面に固定された固締装置を有する棒軸或いはスピンドルとすることができるか或いは内側に固定された固締装置を有する中空の棒軸或いは管とすることができる。
回転可能な構成部材が円形断面を有することは不可欠ではなく、この構成部材が多角形断面を有することができる。
本発明は、より簡単に理解することができ、本発明の種々の他の態様及び特性は以下の説明及び添付図面を考慮して明らかにすることができる。
【図面の簡単な説明】
本発明の実施例は、添付図面による実施例により記載する。
図１は、本発明により構成した固締装置を使用した組立体を示した部分断側面図であり、
図２は、図１の矢印IIの方向で切った図１に示した組立体の端部を示したものであり、
図３は、本発明により構成した固締装置を使用した他の組立体を示した部分断側面図であり、
図４は、図３の矢印IVの方向に切った図３に示した組立体の端部を示したものである。
本発明を実施する最良の態様の記載
図１及び図３は、上述した英国特許出願第２２８２２０９Ａ号の図１及び図２に常時対応したものであり、同一の参照符号を使用した。図１及び図２に記載したように、棒軸１０はローリング素子である軸受け１１及び固締装置１２を支持する。この軸受け１１は、装置１２により非回転方式で棒軸１０に固着すべき内側に延在するリング１３から構成される。リング１３は棒軸１０の外方周囲表面に大して平行に延在する内側開口表面９を有する。ここではボール１４の形態の一式のローリング素子は、内側リング１３と外側リング１６との間の溝１５に配置される。ボール１４は、等隔に離間した球であり、ケージ２７を有する溝１５とシール８は、リング１３と１６との間に装着される。
内側リング１３の軸線状端部１７は、カラー１９の軸線状部分或いは部分１８に包囲されている。カラー１９は、リング１３の一続きの内側表面９を形成する表面２２を有する棒軸１０に亘って固定された表面を形成する開口を有する端部壁２５を有する。
軸受けの内側リング１３の軸線状部分１７は、外側平面２０を形成するように開放されており、この外側表面は先細りして棒軸１０の軸線に対してある角度を成して延在する。表面２０は、軸受け１１の方向で棒軸軸線に向かって収束する。表面２０の典型的な角度は、３°であり、通常は１乃至５°の範囲の角度が好適である。
スクリュー２１は、カラー１９の軸線状部分１８のネジ溝付きの開口６に位置する。
図２に示すように、このスクリュー２１と開口６とは反時計回りに放射状平面Ｒから同一距離「ｄ」だけオフセットする。放射状平面Ｒは１２０°だけ離間しており、ＵＫ特許出願第２２８２２０９Ａ号によるスクリュー２１の好適な位置を表している。後者に対比して、スクリュー２１の長手方向軸線は、回転Ｐの軸線から離間した点Ｌで交差して、点Ｌから矢印IIの方向、即ちカラー１９の端壁２５から軸線Ｐの方向及び表面２０の収束方向に見て反時計回りでオフセットする。
スクリュー２１は、リング１３の外側表面に掛合するように開口６の内側に配置することができる。変更した配置においては、表面２０は、スクリュー２１の端部２３を配置し且つ受け取る為の浅い凹所或いは窪み或いはブラインド穴を有する。軸受け１１の内側リング１３とカラー１９は、棒軸１０に簡単に固定することができ、次にスクリュー２１は予め決定されたトルクにしっかりと締める。平面２０に対して同一の角度で先細ることができるスクリュー２１の端部２３は、外側表面２０と接触するように作用する。スクリュー２１の端部２３が固締された場合には、この端部２３が外側表面２０に加圧して内側リング１３の軸線状端部１７従って内側リング１３の全体、及び放射状に離間したカラー１９の軸線状部分１８にとって代わる。これにより順に、リング１３の内側開口表面９とカラー１９の端壁２５の開口表面２２との正に反対の接触表面領域２４及び２６を生じ、棒軸１０に損傷を与えることなく棒軸１０に対して放射状且つ均一にクランプする。固締装置１２を開放するには、スクリュー２１を開放し、カラー１９と軸受け１１とを棒軸１０から引く。
スクリューが固締或いは開放される場合には、カラー１９の端壁２５及びリング１３の軸線状部分１７の端部は、スライドガイド表面５０を形成するように隣接する。
図３及び図４に示すように、他の固締装置１２は、中空の棒軸或いは管１２０の内側に固定される。この固締装置も、カラー１９０と各リング１７０とから成る。カラー１９０は、スクリュ２１０を支持する２つの斜角の付いたネジ溝付きの補強開口２２０を具える軸線状部分１８０を有する。カラー１９０の端壁２５０は、管１２０の内側表面に平行で且つ対向する外方周囲表面２８０を有する。リング１７０は、管１２０の内側表面３００に平行で且つ同様に対向する外側周囲表面２４０と、管１２０の軸線に対してある角度を成して先細りする内側表面２００を有する。表面２００は、回転Ｐの軸線に対して端部壁２５０から逸れる。第１の実施例によるように、表面２００は管１２０の軸線に対して１°乃至５°、好適には３°の角度で傾斜することができる。表面２００は、スクリュー２１０の端部２３０を支持する浅い凹部或いは窪み或いはブラインド穴を含むことができる。
図４に示したように、スクリュー２１０及びネジ溝付きの開口２２０は、反時計回りに放射状平面Ｒから同一距離「ｄ」だけオフセットされる。この放射状平面Ｒは、１２０°だけ離間しており、ＵＫ特許出願第２２８２２０９号によるスクリュウーの好適な位置を表したものである。後者と比較して、スクリュー２１０の長手方同軸線は、回転Ｐの軸線から離間した点Ｌで公差し、この点Ｌから矢印IVの方向、即ち軸線Ｐの方向に見て反時計回りにオフセットし、表面２００がカラー１９０の端壁２５０から逸脱する。
装置１２はスクリュー２１０を固締することにより管１２０に固締され、端部２３０がカラー１９０の軸線状部分１８０と放射状に離間したリング１７０に取って代わる。これにより順番にカラー端部壁２５０の表面２８０と、所定の位置で装置をロックするように管１２０の内側表面３００に抗して位置するリング１７０の表面２４０との正に対向する表面接触領域２９０、２９１が得られる。
リング１７０とカラー１９０の端壁は放射状面を有し、スクリュー２１０が固締或いは開放される場合にはこれら放射状面は隣接し且つスライド可能なガイド表面３５０を構築する。この装置は、軸受けのような数個の他の構成部材が隣接し或いは配置されるように使用することができる。
数個の既知の形態の固締装置或いはメカニズムと比して、本発明による装置は、回転可能な構成部材を損傷せず、簡単に固定されて繰り返し除去される。又この装置は、いかなる揺れもなく回転可能な構成部材により均一に回転する。
図１の配置においては、内側リング１３は、簡単に延在させ且つ１つの動作において容易に機械化される。リング１３に先細り開口を形成する必要はない。又、過分な張力が内側リング１３に生じないので、この張力による特性の損傷はない。又歪みも無いのでボールの軌道に影響はない。
【図１】
0003984291.tif 000002
【図２】
0003984291.tif 000003
【図３】
0003984291.tif 000004
【図４】
0003984291.tif 000005